(57)【要約】【課題】本発明は、クリップボード機能を用いて複数のアプリケーションプログラム間でコピー、カット、ペーストなどのファイル操作を実施する際、操作対象となるデータの種類に依存せずに簡単なユーザ操作で実施することができる携帯端末を提供する。【解決手段】複数のコンテンツを記憶する記憶手段と、第１のアプリケーションプログラム起動中にユーザによるコンテンツの選択を受け付け、選択されたコンテンツを記憶手段に記憶させる登録手段と、待機状態あるいは第２のアプリケーションプログラム起動中に所定操作がされた際、記憶されたコンテンツのリストを表示する表示手段（Ｓ２１１）と、表示されたコンテンツのうちのいずれかの選択を受け付ける受付手段（Ｓ２１３）と受け付けられたコンテンツを前記第２のアプリケーションプログラムに入力する入力手段（Ｓ２１９）とを備えた。【選択図】  図５
2011150478.tif 000002
【特許請求の範囲】
【請求項１】
複数のコンテンツを記憶する記憶手段と、
第１のアプリケーションプログラム起動中にユーザによるコンテンツの選択を受け付け、選択されたコンテンツを前記記憶手段に記憶させる登録手段と、
待機状態あるいは第２のアプリケーションプログラム起動中に所定操作がされた際、前記記憶手段により記憶されたコンテンツのリストを表示する表示手段と、
前記表示手段により表示されたコンテンツのうちのいずれかの選択を受け付ける受付手段と、
前記受付手段により受け付けられたコンテンツを前記第２のアプリケーションプログラムに入力する入力手段と
を備えたことを特徴とする携帯端末。
【請求項２】
前記入力手段は、前記受付手段により受け付けられたコンテンツを前記第２のアプリケーションプログラムとは異なる第３のアプリケーションプログラムに入力することを特徴とする請求項１記載の携帯端末。
【請求項３】
前記記憶手段は、各々のコンテンツにアプリケーションプログラムをそれぞれ対応付けて記憶していて、
前記入力手段は、前記受付手段によりコンテンツの選択が受け付けられた際、前記記憶手段によりこのコンテンツに対応付けられたアプリケーションプログラムにこのコンテンツを入力することを特徴とする請求項２記載の携帯端末。
【請求項４】
前記入力手段は、前記受付手段によりコンテンツの選択が受け付けられた際、前記記憶手段によりこのコンテンツに対応付けられたアプリケーションプログラムを起動させた上で、このアプリケーションプログラムにこのコンテンツを入力することを特徴とする請求項３記載の携帯端末。
【請求項５】
前記表示手段は、前記コンテンツのリストと前記携帯端末が有するアプリケーションプログラムのリストとを切り替えて表示し、
前記受付手段は、前記表示手段によりアプリケーションプログラムのリストが表示されている際、いずれかのアプリケーションプログラムの選択を受け付け、
前記受付手段によりアプリケーションプログラムの選択が受け付けられた際、このアプリケーションプログラムを起動させる起動手段を備えたことを特徴とする請求項１または２記載の携帯端末。
【発明の詳細な説明】
【技術分野】
【０００１】
本発明は、共有のメモリ領域にユーザにより指定されたデータを一時的に記憶するとともに、記憶されたデータをユーザ所望のアプリケーションプログラムに入力する機能を備えた携帯端末に関する。
【背景技術】
【０００２】
近年の携帯端末は一般的にクリップボードの機能を備えている。クリップボードの機能とは、コンピュータ上における共有のメモリ領域にユーザにより指定されたデータを一時的に記憶する機能である。クリップボードに記憶されたデータは複数の異なるアプリケーションプログラムからアクセス可能であるため、単一のアプリケーションプログラムだけでなく複数のアプリケーションプログラム間でのデータの受け渡しにも使用される。
【０００３】
例えば、ユーザビリティの向上が図られたクリップボード機能を備えたコンピュータシステムが提案されている（特許文献１参照）。このシステムは、複数のコンピュータで入力及び編集作業の結果を共有するように動作するグループエディタ手段と、ＯＳによるシステムクリップボードをと有していて、別のアプリケーション間の複写及び貼り付けや、同一グループのエディタ内での複写及び貼り付けを、ユーザが同一のクリップボードの操作で行えるようにしたものである。
【先行技術文献】
【特許文献】
【０００４】
【特許文献１】特開平８−３２９０１２号公報
【発明の概要】
【発明が解決しようとする課題】
【０００５】
上述したようなクリップボードの機能を備えた携帯端末において、コピー、カット（切り取り）、ペースト（貼り付け）などのファイル操作を実施する際、クリップボード上には１つのデータしか記憶できないため、複数のファイル操作を連続して行いたい場合に不便であった。また携帯端末では、クリップボード上のデータをカット、コピー元とは異なるアプリケーションプログラム上にペーストする場合に、クリップボード上のファイルを参照できないという問題があった。そのせいで、コピー、カット元のアプリケーションプログラムが起動されている状態からペースト先のアプリケーションプログラムを起動するまで煩雑なタップ操作が必要となっていた。
【０００６】
本発明は、上記課題を鑑みてなされたものであり、クリップボード機能を用いて複数のアプリケーションプログラム間でコピー、カット、ペーストなどのファイル操作を実施する際、操作対象となるデータの種類に依存せずに簡単なユーザ操作で実施することができる携帯端末を提供することを目的とする。
【課題を解決するための手段】
【０００７】
上記課題を解決するために、本発明に係る携帯端末は、複数のコンテンツを記憶する記憶手段と、第１のアプリケーションプログラム起動中にユーザによるコンテンツの選択を受け付け、選択されたコンテンツを前記記憶手段に記憶させる登録手段と、待機状態あるいは第２のアプリケーションプログラム起動中に所定操作がされた際、前記記憶手段により記憶されたコンテンツのリストを表示する表示手段と、前記表示手段により表示されたコンテンツのうちのいずれかの選択を受け付ける受付手段と、前記受付手段により受け付けられたコンテンツを前記第２のアプリケーションプログラムに入力する入力手段とを備えたことを特徴とする。
【発明の効果】
【０００８】
本発明に係る携帯端末によると、クリップボード機能を用いて複数のアプリケーションプログラム間でコピー、カット、ペーストなどのファイル操作を実施する際、操作対象となるデータの種類に依存せずに簡単なユーザ操作で実施することが可能となる。
【図面の簡単な説明】
【０００９】
【図１】本発明に係る携帯端末（携帯電話機）を示す斜視図。
【図２】本発明に係る携帯端末（携帯電話機）の機能を示すブロック図。
【図３】クリップボード情報の一例を示すデータ構成図。
【図４】本発明に係る携帯端末（携帯電話機）がコンテンツ記録処理を行う際の手順を示すフローチャート。
【図５】本発明に係る携帯端末（携帯電話機）がコンテンツ入力処理を行う際の手順を示すフローチャート。
【図６】（A）は、共有領域にアプリケーションリストが表示された画面の一例を示す画面図、（Ｂ）は、共有領域にクリップボードが表示された画面の一例を示す画面図。
【発明を実施するための形態】
【００１０】
本発明に係る携帯端末の実施形態について、添付図面を参照しながら説明する。本発明に係る携帯端末として、ユーザが指などで画面に触れることよりデータを入力することができるディスプレイ（タッチスクリーン）を備えた携帯電話機１を例に挙げて説明する。
【００１１】
図１は、携帯電話機１を示す斜視図である。携帯電話機１は、図１に示すように、矩形の板状の筐体１１を備えている。筐体１１の一方の面には、データを表示するとともに接触によりデータを入力するタッチスクリーン１２、音声を出力するためのスピーカ１３、音声を入力するためのマイクロフォン１４及びデータを入力する操作キー１５が設けられている。
【００１２】
タッチスクリーン１２は、画面データを表示する表示機能、及び、ユーザが指や専用のペンで画面に触れた際にその接触位置を検知することにより指示を入力する入力機能の双方の機能を備えたディスプレイである。タッチスクリーン１２は、例えばディスプレイの上に、表面上の接触を検知するための素子が複数配置され、さらにその上に透明なスクリーンが積層されることにより形成されている。タッチスクリーン１２の接触を感知する方法は、圧力の変化を感知する感圧式であっても、静電気による電気信号を感知する静電式であっても、その他の方法であっても良い。操作キー１５は、感圧式や静電式の方法で接触を感知する操作キーであっても、ユーザが物理的に押下することによりデータを入力する操作キーであっても良い。
【００１３】
図２は、携帯電話機１の機能を示すブロック図である。携帯電話機１は、図３に示すように、主制御部２０、電源回路部２１、操作入力制御部２２、表示制御部２３、音声制御部２４、通信制御部２５及び記憶部２６がバスによって相互に通信可能に接続されて構成されている。
【００１４】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するコンテンツ記録処理やコンテンツ入力処理、その他の様々な演算処理や制御処理などを行う。電源回路部２１は、電源供給源（バッテリ等）を備え、例えば所定の操作キー１５を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１５】
操作入力制御部２２はタッチスクリーン１２に対する入力インタフェースを備えていて、タッチスクリーン１２に接触があったことを検知すると、その接触があった位置を示す信号を生成して主制御部２０に伝送する。信号を受信した主制御部２０は、この信号に基づいて様々な処理を行う。表示制御部２３はタッチスクリーン１２に対する表示インタフェースを備え、主制御部２０の制御に基づいて、画面表示用データを生成してタッチスクリーン１１に表示させる。
【００１６】
音声制御部２４は、主制御部２０の制御に基づいて、マイクロフォン１４で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００１７】
通信制御部２５はアンテナ２５ａを備えていて、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてタッチスクリーン１２に表示されたり、または記憶部２６に記録されたりする。また通信制御部２５は、主制御部２０の制御に基づいて、マイクロフォン１４で集音された音声データや、タッチスクリーン１２を介して入力されたデータや記憶部２６に記憶されたデータを取得すると、これらのデータに対してスペクトラム拡散処理を行い、基地局に対してアンテナ２５ａを介して送信する。
【００１８】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するコンテンツ記録処理、コンテンツ入力処理を行う際の処理プログラムは、例えばＲＯＭに記憶されているものとする。
【００１９】
また、記憶部２６は、コピーやカットやペーストなどのファイル操作に使用されるデータを記憶するためのクリップボード記憶領域２６ａを備えている。クリップボード記憶領域２６ａには、ユーザにより予め選択されたコンテンツが羅列されたクリップボード情報３０が記憶されている。このクリップボード情報３０は、同一のアプリケーションプログラム内でのファイル操作、または異なるアプリケーションプログラム間でのファイル操作に使用される。
【００２０】
図３は、クリップボード情報３０の一例を示すデータ構成図である。クリップボード情報３０は、ファイル操作に使用されるデータが羅列された情報であり、図３に示すように、複数のコンテンツ情報３１が、そのコンテンツの種類を示す種類情報３２、コンテンツを使用するためのアプリケーションプログラムを示すアプリケーション情報３３にそれぞれ対応付けられて羅列された情報である。
【００２１】
コンテンツ情報３１は、コンテンツそのものの情報であっても、コンテンツが格納されている場所を示す情報であっても良い。コンテンツの種類は、例えばテキスト、画像、音声などである。アプリケーション情報３３は、例えばテキストのコンテンツに対してテキストエディタ、メールアドレスのコンテンツに対してメーラ、ＵＲＬのコンテンツに対してウェブブラウザなどのアプリケーションプログラムが対応付けられている。
【００２２】
携帯電話機１は、任意のアプリケーションプログラム起動中にユーザによりコンテンツが選択された場合、そのコンテンツをコンテンツ情報３０に追加するようにして記録する。携帯電話機１がこのコンテンツ記録処理を行う際の手順について、図４に示すフローチャートに基づいて説明する。
【００２３】
ユーザは、例えばウェブブラウザでウェブサイトを閲覧している最中や、音楽プレイヤーで音楽を聴いている最中などに、タッチスクリーン１２を介した入力によりテキストのコンテンツや音楽のコンテンツなどを選択して、クリップボード情報３０として記録するように指示する。そこで主制御部２０は、このようなコンテンツの記録が指示されたか否かを判断する（Ｓ１０１）。コンテンツの記録が指示されていない場合（Ｓ１０１のＮｏ）は、主制御部２０はそのまま待機する。
【００２４】
コンテンツの記録が指示された場合（Ｓ１０１のＹｅｓ）は、主制御部２０は、クリップボード記憶領域２６ａに、ステップＳ１０１にて記録が指示されたコンテンツを、そのコンテンツの種類、そのコンテンツを使用するためのアプリケーションプログラムと対応付けて記憶する（Ｓ１０３）。この際、コンテンツの種類はそのコンテンツの内容から判断され、アプリケーションプログラムは、コンテンツの種類から判断されると良い。
【００２５】
主制御部２０は、次のコンテンツがあるか否かを判断する（Ｓ１０５）。この際、例えばステップＳ１０１にてユーザにより複数のコンテンツの記録が指示された場合や、ユーザにより連続してコンテンツの記録が指示された場合に、次のコンテンツがあるものと判断される。次のコンテンツがあった場合（Ｓ１０５のＹｅｓ）は、ステップＳ１０３に戻って、主制御部２０は次のコンテンツについても同様に、コンテンツの種類、コンテンツを使用するためのアプリケーションプログラムと対応付けて記憶する。
【００２６】
このようにして携帯電話機１は、１つまたは複数のコンテンツを種類、アプリケーションプログラムとそれぞれ対応付けてクリップボード記憶領域２６ａに記録しておく。そして、このクリップボード記憶領域２６ａに記憶されたクリップボード情報３０は、携帯電話機１が待機状態のときや任意のアプリケーションプログラムの起動中など、いかなる状況でもユーザ操作によりタッチスクリーン１２に表示可能な共有領域４２に表示される。なお、共有領域４２に表示されたコンテンツは、ユーザの指示に基づいてファイル操作に使用される。
【００２７】
携帯電話機１は、待機状態または任意のアプリケーションプログラムを起動しているときに、ユーザ操作により共有領域４２を表示させることにより、ユーザ所望のアプリケーションプログラムに対してクリップボード情報３０に記憶されているコンテンツの情報を入力することができる。携帯電話機１がこのようなコンテンツ入力処理を行う手順について、図５に示すフローチャート、図６に示す画面図に基づいて説明する。
【００２８】
上述したようにクリップボード情報３０は共有領域４２に表示され、この共有領域４２を介してユーザ操作によりユーザ所望のアプリケーションプログラムに入力される。主制御部２０は、共有領域４２の表示が指示されたか否かを判断する（Ｓ２０１）。この際、主制御部２０は、ユーザにより例えばタッチスクリーン１２を介して所定の操作がされた場合に、共有領域４２の表示が指示されたものと判断する。共有領域４２の表示が指示されていない場合（Ｓ２０１のＮｏ）は、主制御部２０はそのまま待機する。
【００２９】
共有領域４２の表示が指示された場合（Ｓ２０１のＹｅｓ）は、主制御部２０は、タッチスクリーン１２に共有領域４２を表示させるとともに、ユーザにアプリケーションプログラムのリスト、クリップボード情報３０のうちのいずれかを選択するように促す（Ｓ２０２）。すなわち携帯電話機１において、共有領域４２にクリップボード情報３０と併せてアプリケーションプログラムのリストを相互に切り替えられるように表示させることにより、ユーザは共有領域４２から、クリップボード情報３０を用いたデータ操作のみでなくアプリケーションプログラムの起動をも実施させることができる。
【００３０】
図６（Ａ）及び図６（Ｂ）は、携帯電話機１がコンテンツ入力処理を行う際にタッチスクリーン１２の画面４０に表示される画面の一例を示す画面図であり、図６（Ａ）は、共有領域４２にアプリケーションプログラムのリストが表示された画面を示す図であり、図６（Ｂ）は、共有領域４２にクリップボード情報３０が表示された画面を示す図である。共有領域４２は、例えば図６（Ａ）や図６（Ｂ）に示すように、アプリケーションプログラムのリストを表示させるためのアプリケーション選択ボタン４３、クリップボード情報３０を表示さえるためのクリップボード選択ボタン４４を有している。ユーザは、共有領域４２に促されてアプリケーション選択ボタン４３、クリップボード選択ボタン４４のいずれかを選択する。
【００３１】
主制御部２０は、アプリケーションプログラムのリストの表示が選択されたか否かを判断する（Ｓ２０３）。この際、主制御部２０は、アプリケーション選択ボタン４３が選択されたことに基づいてアプリケーションプログラムのリストの表示が指示されたものと判断する。アプリケーションプログラムのリストの表示が指示された場合（Ｓ２０３のＹｅｓ）は、主制御部２０は、共有領域４２にアプリケーションプログラムのリストを表示させる（Ｓ２０５）。
【００３２】
アプリケーションプログラムのリストが表示されているときには、図６（Ａ）に示すように、共有領域４２に、ブラウザ機能を実現するアプリケーションプログラムを起動するための起動ボタン４５、メール機能を実現するアプリケーションプログラムを起動するための起動ボタン４５などが表示される。ユーザは、これらの起動ボタン４５のうちのいずれかの起動ボタン４５を選択する。
【００３３】
主制御部２０は、いずれかのアプリケーションプログラムが選択されたか否かを判断する（Ｓ２０７）。この際、主制御部２０は、いずれかの起動ボタン４５が選択されたことに基づいて、アプリケーションプログラムが選択されたものと判断する。そして、いずれかのアプリケーションプログラムが選択された場合（Ｓ２０７のＹｅｓ）は、主制御部２０は、選択されたアプリケーションプログラムを起動する（Ｓ２０９）。
【００３４】
一方で、アプリケーションプログラムのリストの表示が指示されなかった場合（Ｓ２０３のＹｅｓ）、すなわちクリップボード情報３０の表示が指示された場合は、主制御部２０は、共有領域４２にクリップボード情報３０を表示させる（Ｓ２１１）。クリップボード情報３０が表示されているときには、図６（Ｂ）に示すように、共有領域４２に、クリップボード情報３０に含まれる各々のコンテンツがリスト表示されたコンテンツ表示欄４６が表示される。ユーザは、コンテンツ表示欄４６からいずれかのコンテンツを選択する。
【００３５】
主制御部２０は、ユーザによりいずれかのコンテンツが選択されたか否かを判断する（Ｓ２１３）。そして、いずれかのコンテンツが選択された場合（Ｓ２１３のＹｅｓ）は、主制御部２０は、そのコンテンツに対応するアプリケーションプログラムを起動させる必要があるか否かを判断する（Ｓ２１５）。例えばユーザがドラッグ＆ドロップにより、そのとき起動されているアプリケーションプログラムにそのコンテンツを移動させた場合には、主制御部２０は、新たにアプリケーションプログラムを起動する必要はないものと判断する。
【００３６】
アプリケーションプログラムを起動させる必要があった場合は（Ｓ２１５のＹｅｓ）、主制御部２０はそのアプリケーションプログラムを起動させる（Ｓ２１７）。例えばユーザがコンテンツを普通に選択した場合には、主制御部２０は、クリップボード情報３０においてそのコンテンツに対応付けられているアプリケーションプログラムを起動させる。例えばクリップボード情報３０に含まれるコンテンツとしてメールアドレスが選択された場合には、メーラのアプリケーションプログラムが起動される。
【００３７】
なお、ステップＳ２１５にて、対応するアプリケーションプログラムを起動するか否かをユーザに選択させるようにしても良い。または、主制御部２０は、ステップＳ２１５の時点ではアプリケーションプログラムを起動させず、ユーザにより共有領域４２からアプリケーション選択ボタン４３が選択された上でいずれかの起動ボタン４５が選択された場合に、そのアプリケーションプログラムを起動させるようにしても良い。
【００３８】
主制御部２０は、選択されたコンテンツを当該アプリケーションプログラムに入力する（Ｓ２１９）。例えばユーザがドラッグ＆ドロップにより、そのとき起動されているアプリケーションプログラムにそのコンテンツを移動させた場合には、主制御部２０は、既に起動されているアプリケーションプログラムにクリップボード情報３０に記録されているコンテンツを入力する。また、例えばユーザがコンテンツを普通に選択した場合には、主制御部２０は、アプリケーションプログラムを起動させるタイミングで、そのアプリケーションプログラムに選択されたコンテンツを入力する。
【００３９】
主制御部２０は、ステップＳ２０９またはＳ２１９の処理を終えると、共有領域４２の非表示が指示されたか否かを判断する（Ｓ２２１）。この際、主制御部２０は、ユーザのより所定の操作がされた場合に共有領域４２の非表示が指示されたものと判断しても良く、ステップＳ２０９またはＳ２１９の処理の完了を契機に共有領域４２の非表示が指示されたものと判断しても良い。
【００４０】
共有領域４２の非表示が指示されていない場合（Ｓ２２１のＮｏ）は、ステップＳ２０２に戻る。また、共有領域４２の非表示が指示された場合（Ｓ２２１のＹｅｓ）は、主制御部２０は、共有領域４２の表示を終了して（Ｓ２２３）、コンテンツ入力処理を終了させる。
【００４１】
このようにして携帯電話機１は、ユーザの指示により共有領域４２を表示させてその共有領域４２にクリップボード情報３０に含まれるコンテンツを選択可能に表示させるとともに、必要に応じてアプリケーションプログラムを起動させて、選択されたコンテンツをアプリケーションプログラムに入力する。これにより、ユーザがクリップボード情報３０に記録されたデータを使用したい場合に、クリップボード情報３０に記録されたデータを簡単に操作することができる。
【００４２】
例えば、クリップボード情報３０にコンテンツとしてメールアドレスが記録されていて、このコンテンツにメール作成機能を実現するためのアプリケーションプログラムが対応付けられていたとき、携帯電話機１においてメール作成機能が起動されていない場合であっても、ユーザによる共有領域４２から当該メールアドレスを選択するという１の操作で、メール送信先に当該メールアドレスが設定されたメール作成画面を表示させることができる。
【００４３】
また、クリップボード情報３０において、コンテンツとアプリケーションプログラムとを対応付けておくことにより、携帯電話機１は、コンテンツの操作に併せて最適なアプリケーションプログラムを起動することができ、ユーザによるアプリケーションプログラムを起動させるための煩雑な操作を省略することができる。
【００４４】
また、共有領域４２において、クリップボード情報３０とアプリケーションプログラムのリストとの双方を操作できるようにしたことにより、携帯電話機１でアプリケーションプログラムが実行されているときに、共有領域４２から別のアプリケーションプログラムを起動することができる。
【００４５】
ランチャーには以下の機能を登録できるようにする。
【００４６】
本発明に係る携帯端末（携帯電話機１）によると、クリップボード機能を用いてコピー、カット、ペーストなどのファイル操作を実施する際、操作対象となるデータの種類に依存せずに簡単なユーザ操作で実施することが可能となる。
【００４７】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＭＩＤ（Ｍｏｂｉｌｅ  Ｉｎｔｅｒｎｅｔ  Ｄｅｖｉｃｅ）、携帯音楽プレイヤー、携帯ビデオカメラ、携帯ゲーム機等、任意の携帯端末であって良い。
【符号の説明】
【００４８】
１…携帯電話機，１１…筐体，１２…タッチスクリーン，１３…スピーカ，１４…マイクロフォン，１５…操作キー，２０…主制御部，２１…電源回路部，２２…操作入力制御部，２３…表示制御部，２４…音声制御部，２５…通信制御部，２５ａ…アンテナ，２６…記憶部，２６ａ…クリップボード記憶領域，３０…クリップボード情報，４０…画面，４２…共有領域，４３…アプリケーション選択ボタン，４４…コンテンツ選択ボタン，４５…起動ボタン，４６…コンテンツ表示欄。
【図１】
2011150478.tif 000003
【図２】
2011150478.tif 000004
【図３】
2011150478.tif 000005
【図４】
2011150478.tif 000006
【図５】
2011150478.tif 000007
【図６】
2011150478.tif 000008